(57)【要約】  着色顔料と消去可能染料と消去不可能染料とを含有するインクのようなハイライト化可能な混合物；該ハイライト化可能な混合物及び消去剤溶液を備えるキット；ジアリールメタン誘導体、トリアリールメタン誘導体、メチン染料よりなる群から選択される無色又は実質的に無色の消去可能染料と着色顔料とを含む着色剤複合物；並びに、ハイライト化可能な混合物で作製したマーキングの少なくとも一部に消去剤を塗布する方法。
2007509197.tif 000002
【特許請求の範囲】
【請求項１】
水と、着色顔料と、ジアリールメタン誘導体、トリアリールメタン誘導体、メチン染料及びこれらの組み合わせよりなる群から選択される消去可能染料とを含む混合物。
【請求項２】
更に消去不可能染料を含む請求項１に記載の混合物。
【請求項３】
前記消去不可能染料が消去不可能ブルー染料、消去不可能レッド染料、消去不可能バイオレット染料、消去不可能イエロー染料、消去不可能オレンジ染料及びこれらの組み合わせよりなる群から選択される請求項２に記載の混合物。
【請求項４】
前記消去不可能染料は、アシッド・ブルー１、アシッド・ブルー１０４、アシッド・ブルー１８２、アシッド・ブルー２０４、アシッド・ブルー７４、アシッド・ブルー９，アシッド・ブルー９０、ベーシック・ブルー１、ベーシック・ブルー７、ベーシック・ブルー９、ベーシック・ブルー３３、ダイレクト・ブルー１９９、ダイレクト・ブルー２８１、ディスパース・ブルー７３、リアクティブ・ブルー１９、リアクティブ・ブルー２１、アシッド・レッド１８、アシッド・レッド２４９、アシッド・レッド５２、アシッド・レッド８７、アシッド・レッド９２、ベーシック・レッド２２、ベーシック・レッド２８、ベーシック・レッド４６、ダイレクト・レッド２３６、ダイレクト・レッド２５２、アシッド・バイオレット１２、アシッド・バイオレット１２６、アシッド・バイオレット１７、アシッド・バイオレット４９、ベーシック・バイオレット１、ベーシック・バイオレット１０、ベーシック・バイオレット３、アシッド・イエロー１７、アシッド・イエロー１１８、アシッド・イエロー２３、アシッド・イエロー３、アシッド・イエロー３２、アシッド・イエロー３６、ベーシック・イエロー２１、ベーシック・イエロー２８、ベーシック・イエロー３７、ベーシック・イエロー４０、ベーシック・イエロー２９１、アシッド・オレンジ１０、リアクティブ・オレンジ１６、及びこれらの組み合わせよりなる群から選択される請求項３に記載の混合物。
【請求項５】
前記消去不可能染料がベーシック・ブルー１、ベーシック・イエロー２９１及びこれらの組み合わせよりなる群から選択される請求項４に記載の混合物。
【請求項６】
前記混合物が黒色である請求項１〜５の何れか一項に記載の混合物。
【請求項７】
前記消去可能染料は、ベーシック・イエロー２、ベーシック・イエロー１１、ベーシック・イエロー１３、ベーシック・イエロー２１、ベーシック・イエロー２８、ベーシック・イエロー２９、ベーシック・イエロー４０、アシッド・ブルー２２、アシッド・ブルー９３、アシッド・グリーン、アシッド・グリーン５、アシッド・バイオレット１７、アシッド・バイオレット１９、ベーシック・ブルー８、ベーシック・ブルー１５、ベーシック・ブルー２０、ベーシック・ブルー２６、ベーシック・グリーン４、ベーシック・レッド９、ベーシック・レッド１４、ベーシック・レッド１５、ベーシック・レッド２９、ベーシック・レッド４６、ベーシック・バイオレット２、ベーシック・バイオレット３、ベーシック・バイオレット４、ベーシック・バイオレット１４、フード・グリーン３、及びこれらの組み合わせよりなる群から選択される請求項１〜６の何れか一項に記載の混合物。
【請求項８】
前記着色顔料の色は還元剤によって実質的に影響を受けない請求項１〜７の何れか一項に記載の混合物。
【請求項９】
前記還元剤は亜硫酸塩還元剤、亜硫酸水素塩還元剤及びこれらの組み合わせよりなる群から選択される請求項８に記載の混合物。
【請求項１０】
前記着色顔料は、混合物の全重量をベースにして少なくとも約０．０１重量％から約５０重量％までの量で存在する請求項１〜９の何れか一項に記載の混合物。
【請求項１１】
前記着色顔料は、混合物の全重量をベースにして少なくとも約０．１重量％から約２０重量％までの量で存在する請求項１０に記載の混合物。
【請求項１２】
前記消去可能染料は、混合物の全重量をベースにして少なくとも約０．０１重量％から約４０重量％までの量で存在する請求項１〜１１の何れか一項に記載の混合物。
【請求項１３】
前記消去可能染料は、混合物の全重量をベースにして少なくとも約０．１重量％から約１０重量％までの量で存在する請求項１２に記載の混合物。
【請求項１４】
前記着色顔料の色は酸化剤によって実質的に影響を受けない請求項１〜１３の何れか一項に記載の混合物。
【請求項１５】
前記着色顔料の色はｐＨの変化によって実質的に影響を受けない請求項１〜１４の何れか一項に記載の混合物。
【請求項１６】
更に還元剤を含む請求項１〜１５の何れか一項に記載の混合物。
【請求項１７】
更に酸化剤を含む請求項１〜１６の何れか一項に記載の混合物。
【請求項１８】
更にバインダー樹脂を含む請求項１〜１７の何れか一項に記載の混合物。
【請求項１９】
前記バインダー樹脂は、ポリエチレングリコール、ポリビニルピロリドン及びそのコポリマー及び塩、ポリ酢酸ビニル及びそのコポリマー及び塩、ポリアクリル酸及びそのコポリマー及び塩、並びにこれらの組み合わせよりなる群から選択される請求項１８に記載の混合物。
【請求項２０】
更に有機溶剤を含む請求項１〜１９の何れか一項に記載の混合物。
【請求項２１】
前記有機溶媒は、グリコール、尿素、脂肪アルコール、ジメチルホルムアミド、ホルムアミド、ジメチルスルホキシド、高分子量炭化水素、低分子量炭化水素、及びこれらの組み合わせよりなる群から選択される請求項２０に記載の混合物。
【請求項２２】
前記有機溶媒は、アセトン、メチルエチルケトン、メタノール、エタノール、イソプロパノール、及びこれらの組み合わせよりなる群から選択される請求項２０に記載の混合物。
【請求項２３】
前記有機溶媒は、混合物の全重量をベースにして少なくとも約５重量％から約３０重量％までの量で存在する請求項２０に記載の混合物。
【請求項２４】
更に、ｐＨ緩衝剤、界面活性剤、殺生剤、防食剤、金属イオン封鎖剤、クラスト化防止剤、レオロジー制御剤、バインダー樹脂、膜形成剤、及びこれらの組み合わせよりなる群から選択される添加剤を含む請求項１〜２３の何れか一項に記載の混合物。
【請求項２５】
水と、混合物の全重量をベースにして少なくとも約０．０１重量％から約５０重量％までの量で存在する着色顔料と、混合物の全重量をベースにして少なくとも約０．０１重量％から約４０重量％までの量で存在する消去可能染料（前記消去可能染料はジアリールメタン誘導体、トリアリールメタン誘導体、メチン染料及びこれらの組み合わせよりなる群から選択される。）と、バインダー樹脂とを含み、前記着色顔料の色は酸化剤、還元剤及びｐＨの変化の一つ又は二つ以上によって実質的に影響を受けない混合物。
【請求項２６】
更に消去不可能染料を含む請求項２５に記載の混合物。
【請求項２７】
請求項１〜２６の何れか一項に記載の混合物を含有する筆記具を備えるマーキング器具。
【請求項２８】
請求項１〜２６の何れか一項に記載の混合物を含有するインクジェットカートリッジを備えるマーキング器具。
【請求項２９】
請求項１〜２６の何れか一項に記載の混合物を含有する連続インクジェットの印字ヘッドを備えるマーキング器具。
【請求項３０】
請求項１〜２６の何れか一項に記載の混合物を含有するドロップオンデマンドインクジェットの印字ヘッドを備えるマーキング器具。
【請求項３１】
前記ドロップオンデマンドインクジェットの印字ヘッドは圧電インクジェットの印字ヘッド及びサーマルインクジェットの印字ヘッドよりなる群から選択される印字ヘッドを含む請求項３０に記載の器具。
【請求項３２】
請求項１〜２６の何れか一項に記載の混合物を基材に接触させてマークを作製する工程と、前記マークの少なくとも一部に消去剤流体を塗布する工程とを含むハイライト化方法。
【請求項３３】
前記基材が紙である請求項３２に記載の方法。
【請求項３４】
前記紙が非多孔質紙を含む請求項３３に記載の方法。
【請求項３５】
前記消去剤流体は亜硫酸塩、亜硫酸水素塩、及びこれらの組み合わせよりなる群から選択される化合物を含む請求項３２に記載の方法。
【請求項３６】
請求項１〜２６の何れか一項に記載の混合物と消去剤流体とを備えるハイライト化キット。
【請求項３７】
前記消去剤流体は還元剤を含む請求項３６に記載のハイライト化キット。
【請求項３８】
前記還元剤は亜硫酸塩還元剤、亜硫酸水素塩還元剤及びこれらの組み合わせよりなる群から選択される化合物を含む請求項３７に記載のハイライト化キット。
【請求項３９】
前記消去剤流体は酸化剤を含む請求項３６に記載のハイライト化キット。
【請求項４０】
ジアリールメタン誘導体、トリアリールメタン誘導体、メチン染料及びこれらの組み合わせよりなる群から選択される無色又は実質的に無色の消去可能染料と、着色顔料との混合物を含むハイライト化された複合物。
【請求項４１】
更に消去不可能染料を含む請求項４０に記載の複合物。
【発明の詳細な説明】
【技術分野】
【０００１】
本発明は一般に変色性組成物に関する。
【背景技術】
【０００２】
インクのような消去可能混合物システムは一般に二つの成分を含む。一つ目の成分は、亜硫酸塩還元剤、アミン又はその他の塩基性化合物（例えば水酸化物）のような物質と接触させると実質的に無色となる染料（典型的にはトリアリールメタン）を含む水性混合物である。二つ目の成分は、染料を実質的に無色に変化させることのできる相補的物質を含む水性消去剤流体である。例えば、使用者は消去可能インクを用いて書き、修正が必要な場合、染料を脱色するためにインクマーキングに消去剤流体を塗布する。
【発明の開示】
【発明が解決しようとする課題】
【０００３】
マーキングのハイライト化は、基材（例えば紙）上のインクによって作製された通常のマーキングの上に蛍光インクを塗ることで実施するのが典型的である。典型的な蛍光ハイライトインクはハイライトインクを塗った後も、マーカーによって作製された蛍光インクマーキングの下にある通常のインクマーキングを使用者が見ることができるように半透明である。この方法は通常のインクマーキングをハイライト（強調表示）するのに役立つ一方で、通常のインクマーキングを含まない基材の領域がハイライトされてしまうといった望ましくない効果も有する。
【課題を解決するための手段】
【０００４】
本開示の一側面は顔料及び消去可能着色剤を含む混合物である。
【０００５】
本開示の別の一側面は顔料、消去可能着色剤、及び消去不可能着色剤を含む混合物である。
【０００６】
本開示の別の一側面は、本開示に係るハイライト化可能な混合物で基材をマーキングする工程と、該ハイライト化可能な混合物を消去剤溶液に接触させる工程とを含むハイライト化方法である。
【０００７】
本開示の更に別の一側面は、本開示に係るハイライト化可能な混合物と消去剤を含むキットである。
【０００８】
本開示の更に別の一側面は、ジアリールメタン誘導体、トリアリールメタン誘導体、メチン染料及びこれらの組み合わせよりなる群から選択される少なくとも実質的に無色の染料と、着色顔料とを含む着色剤複合物である。
【０００９】
本開示の更に別の一側面は、ジアリールメタン誘導体、トリアリールメタン誘導体、メチン染料及びこれらの組み合わせよりなる群から選択される少なくとも実質的に無色の染料と、消去不可能染料と、着色顔料とを含む着色剤複合物である。
【００１０】
本発明の更なる側面及び利点は添付の特許請求の範囲と共に以下の詳細な説明を検討することにより当業者に明らかになろう。混合物、該混合物の使用方法、キット、及び複合物は種々の形態で実施可能である。以下の説明は本発明の特定の実施形態を含むが、該開示は例示であって、発明をここで記載する特定の実施形態に限定することを意図するものではないことが理解される。
【発明を実施するための最良の形態】
【００１１】
インクマーキング及び消去の方法は二つの工程で進行することができる。第一の工程は消去可能インクで基材（例えば紙）をマーキングする工程であり、第二の工程は該マーキングに消去剤溶液を塗布することである。消去可能インクのための典型的な処方物は、消去可能な染料（例えばトリアリールメタン染料）を溶かすための溶媒（例えば水）を含有する。この消去剤溶液は、化学的プロセスにより、相補的な着色染料を実質的に無色の化合物又は基材の色に一致する色（例えば白紙に対しては白）へと変化させる消去剤を含有する。そのような化合物には酸化剤、還元剤、酸−塩基反応物質、及び熱の影響下で昇華する化学物質が挙げられる。如何なる特定の消去方法にも限定されることを意図するものではないが、例えば、トリアリールメタンに関しては、活性な着色染料は分子中の芳香環の共役のために可視領域（３８０ｎｍ〜７８０ｎｍ）の色を反射することができると考えられる。しかしながら、ひとたび還元剤（例えば亜硫酸ナトリウム）がトリアリールメタンに塗布されると、還元剤はｓｐ2の中心炭素（図１のａ*）を酸化してｓｐ3の炭素へと変化させることによってこの共役を破壊する。ひとたび混成状態の変化が起きると、染料分子の種々の環同士の共役が失われて該染料分子は無色になる。ここで提案したプロセスをアシッド・バイオレット１７について図１に示す。
【００１２】
消去剤溶液は、主たる溶媒としての水又は有機溶媒と、感受性染料（例えばトリアリールメタン染料）の色を失わせる又は変化させることのできる亜硫酸塩（例えば亜硫酸ナトリウム）、亜硫酸水素塩又はアミン（例えばグリシン酸ナトリウム又は水酸化物のような塩基性物質）のような消去剤と、膜形成ポリマーとを含有するのが好ましい。本開示に係るインクに好適な消去剤溶液は活性な消去剤として亜硫酸塩とアミンの両方を含有する市販の消去剤溶液である（Ｓａｎｆｏｒｄ  Ｒｅｙｎｏｌｄｓ  ｏｆ  Ｖａｌｅｎｃｅ社、仏国）。好ましくは、消去剤は亜硫酸塩還元剤（例えば亜硫酸ナトリウム）、亜硫酸水素塩還元剤（例えば亜硫酸水素ナトリウム）、及びこれらの組み合わせよりなる群から選択される化合物である。
【００１３】
インクのハイライト化可能な性質は、実質的に不溶性の着色顔料には影響を与えることなく、染料（発色団）を着色化合物から少なくとも実質的に無色に変化させる能力に起因する。上で議論したように、これは着色顔料と消去剤（すなわち、酸化剤、還元剤、酸、塩基、熱等）に感受性の染料との組み合わせにより達成することができる。消去剤の塗布で少なくとも実質的に無色になることのできる染料にはジアリールメタン誘導体染料、トリアリールメタン誘導体染料、及びメチン誘導体染料が挙げられる。本開示に係るインクの使用に好適なジアリール染料にはオーラミンＯ（ケミカルインデックス  Ｎｏ．４１０００）、及びベーシックイエロー２（ケミカルインデックス  Ｎｏ．４１０００）が挙げられる。着色状態では、ジ−及びトリアリールメタン、並びにメチン染料は一つ又は二つ以上のカチオン性イミン基を含有することが多い。
【００１４】
トリアリールメタン染料の一般的な構造は下記の式（ＩＩ）で示される。
【化１】
2007509197.tif 000003
（式中、各Ｒ基は同一の又は異なるものであり、好ましくはＣ1〜Ｃ10のアルキル基から選択される。本開示に係るインク中で使用されるトリアリールメタン染料の非限定的な例を下記の表Ｉに列挙する。
【００１５】
【表１】
2007509197.tif 000004
2007509197.tif 000005
1アール・ディー・リリー（R.D. Lillie）、”コーンズ・バイオロジカル・ステインズ（Conn's Biological Stains）”(第８版、１９６９年)、ウィリアム・アンド・ウィルキンス・カンパニー（Williams and Wilkins Company）、バルチモア、メリーランド州；スーザン・ブダバリ（Susan Budavari）(編)、”ザ・メルク・インデックス（The Merck Index）”(第１２版、１９９６年)、メルク・アンド・カンパニー（Merck & Co.）、ホワイトハウス・ステーション（Whitehouse Station）、ニュージャージー州を参照；また、ピー・エー・ルイス（P. A. Lewis）(編)、”顔料便覧  Ｖｏｌ．Ｉ（Pigment Handbook Vol. I）”、プロパティ・アンド・エコノミクス（Properties and Economics）、セクションＩ（Ｄ）ｆ（１）及びＩ（Ｄ）ｇ、ジョーン・ウィリー・アンド・ソンズ（John Wiley & Sons）、(第２版、１９８８年)；エイチ・ゾリンガー（H. Zollinger）、”色彩の化学（Color Chemistry）：有機染料及び顔料の合成、性質及び用途（Syntheses, Properties, and Applications of Organic Dyes And Pigments）”、チャプター４、ＶＣＨ出版、(１９８７年)；ディー・アール・ワリング（D. R. Waring）及びジー・ハラス（G. Hallas）(編)、”染料の化学及び用途（The Chemistry and Application of Dyes）”、チャプター２、セクションIX、プレナム・プレス（Plenum Press）(１９９０年)；エム・オカワラ（M. Okawara）、ティー・キタオ（T. Kitao）、ティ・ヒラシマ（T. Hirashima）及びエム・マツオカ（M. Matsuoka）、”有機着色剤（Organic Colorants）”:電気光学用途に選別された染料データ便覧（A Handbook of Data of Selected Dyes for Electro-Optical Applications）、セクションVI、エルセビア（Elsevier）(１９８８年)も参照（これらの開示を本明細書に援用する。）。
【００１６】
インク中に使用することのできる別の種類の染料はメチン型の染料である。メチン染料は一般に１つ又は２つ以上のメチン基発色団（−ＣＨ＝）（メチリジン又はメチン基とも呼ばれる。）を含む。メチン染料が一つのメチン基のみを有するとき該染料はシアニン染料と呼ばれることがあり、三つのメチン基を有するとき該染料はカルボシアニン染料と呼ばれることがあり、３つよりも多くのメチン基を有するとき該染料はポリメチン染料と呼ばれることが多い。メチン染料の一例は下記のチアゾールオレンジである。
【化２】
2007509197.tif 000006
式中、メチン基を形成する結合は破線で示してある。メチン染料のその他の例にはベーシックレッド１５、ベーシックイエロー１１及びベーシックイエロー１３が挙げられる。メチン染料の包括的なリストに関しては、「エフ・エム・ハマー（F. M. Hamer）、”ヘテロ環化合物の化学（The Chemistry of Heterocyclic Compounds）”、エイ・ワイスバーガー（A. Weissberger）(編)、シアニン染料及び関連化合物（The Cyanine Dyes and Related Compounds）、ウィリー・インターサイエンス（Wiley Interscience）、ニューヨーク(1964年)」を参照されたい。
【００１７】
１種類の消去可能染料又は消去可能染料の混合物と顔料を加えることによって、特定色のハイライト化可能なインクを処方するときは、消去可能染料を選ぶに当たって染料の消去速度が考慮される。特定の機構に限定されることを意図するものではないが、ジアリールメタン、トリアリールメタン及びメチン染料の消去速度は混合物（例えば、混合物で作製したインク又はマーキング）中の染料の濃度に比例する。本開示に係るハイライト化可能なインクはジアリールメタン染料、トリアリールメタン染料、メチン染料及びこれらの組み合わせよりなる群から選択される１種又は２種以上の消去可能染料を含む。マーキング組成物中には、染料は組成物の全重量をベースにして好ましくは少なくとも約０．０１重量％から約４０重量％、より好ましくは約０．１重量％から約１０重量％、例えば約１重量％まで又は約１．５重量％までの量で存在する。
【００１８】
インクに使用する特定の染料及び着色顔料を選択する際は、選択すべき多くの染料及び顔料が存在し、結果として、様々な色の染料及び顔料を混合してほとんど任意の色のインクを作ることができる。本開示に係るハイライト化可能なインクは、組み合わせることで多様な色のインクを与える、１種又は２種以上の染料及び１種又は２種以上の顔料を有することができる。一実施形態においては、消去されていない状態で黒色のインクを与え、消去された（ハイライトされた）状態で赤色のインクを与えるように染料及び顔料を組み合わせる。少なくとも１種の消去可能染料を含有するインクを処方するときには消去速度及び色の強度という少なくとも二つの競合する事項が存在する。緑色を作るのに使用する消去可能染料の濃度を増加させると色の強度を増加させるが、上で議論したように、染料濃度の増加は該染料を消去するのに要する時間も増加する。本開示に係るインクのためには、組成物の全重量をベースにして少なくとも約０．１重量％から約４０重量％までの染料濃度が上記事項をバランスさせるのに好ましい濃度である。
【００１９】
本開示に係るインクは多孔質又は非多孔質の基材上に使用することができる。非多孔質基材の非限定的な例にはガラス、セラミックス、磁器、プラスチック、金属、光沢紙、及びその他の非多孔質紙（例えばボール紙又は他のハードボード材料）が挙げられる。実質的に不溶性の顔料と消去可能染料を組み合わせて使用することで消去時にインクのスミア（染み）を防止することを見出した。染みの減少について特定の機構に限定されることを意図するものではないが、実質的に不溶性の顔料が紙のような多孔質基材に塗布されると、顔料は消去剤（例えば水性消去剤）によって再溶解せず、基材の細孔内に配置されることで染みが更に防止され、これによって消去剤溶液による影響が少なくなる。或いは、バインダーを使用することで同様の効果が達成され得る。バインダーは着色剤（例えば顔料）を基材に結合させ、これによって、着色剤が消去剤溶液から受ける影響が少なくなる。好ましいインクは１種又は２種以上の着色顔料と、1種又は２種以上の消去可能染料とを含有する。
【００２０】
インクによるハイライト化のプロセスはインク混合物中の消去可能染料を消去材で消去することから開始する。しかしながら、着色顔料は消去材によって実質的に影響を受けず、インクの色に寄与し続ける。本開示に係るハイライト化可能なインクは二種類の異なる着色状態を有する。第一の着色状態は消去されていない状態であり、ここではインクは（又はインクにより作製されたマーキングの少なくとも一部分）は消去剤に接触していない。第二の着色状態は消去された（ハイライトされた）状態であり、ここではインクは（又はインクにより作製されたマーキングの少なくとも一部分）は消去剤に接触し、インクの色は、好ましくは人間の目で知覚できるほど充分に、変化している。いったん染料が消去されると（インクが消去された状態になると）、インクの色はインク混合物中の着色顔料が寄与する色によって主として決定されるのが好ましい。劇的なハイライト効果を得るために、着色顔料が寄与する色は消去されていない状態におけるインクの色とは異なるものであるのが好ましい。好ましくは、消去されていない状態でのインクの色は黒で、消去された状態でのインクの色は赤、緑又は青である。
【００２１】
本開示に係るインクに使用する顔料は、有機、無機、天然及び合成顔料を含めて多様な色及び種類にわたる。好ましい顔料は水性媒体に実質的に不溶であり、インク溶液中に分散する粒状物質である。典型的には、顔料は化学的に不活性であり、非毒性であり、熱及び光に対して安定である。本開示に係るインクに使用する顔料の非限定的なリストを以下の表ＩＩに示す。
【００２２】
【表２】
2007509197.tif 000007
2007509197.tif 000008
2007509197.tif 000009
【００２３】
特定色のインクを調製するために、インクに使用する着色顔料の量をインク中に存在する染料の量とバランスさせ、消去されていない状態において所望のインク色を得ることができる。また、多量の着色顔料を使用すると、基材によっては、いったん溶媒（例えば水）が蒸発すると顔料が基材上で過飽和する場合がある。過飽和が生じると、消去剤流体をマーキングに塗布することによって基材表面上に顔料のスミア（染み）を引き起こし得る。従って、スミア効果が望ましくないときは、インクは消去剤溶液の塗布時にスミアを防止するのに有効な量の顔料を含有するのが好ましい。着色顔料は、組成物の全重量をベースにして好ましくは少なくとも約０．０１重量％から約５０重量％まで、より好ましくは少なくとも約０．１重量％から約２０重量％まで、例えば約３．５重量％、７重量％又は約１０重量％までの量で存在する。
【００２４】
インクの色は、インクが特定波長の可視光を反射させる原因となる消去可能染料と着色顔料の組み合わせによって主として決定される。異なる色の染料及び顔料の混合によって幅広い色のインク混合物を形成することができる。色の選択は二種以上の補色、又は三原色（赤、黄及び青）をすべて含有する組み合わせを様々な量で使用することで行うことができる。二つの補色を混合するときは、得られる混合物は灰色（黒色は灰色が完全に飽和した形態である。）である。赤色の補色は緑色であり、オレンジ色の補色は青色であり、黄色の補色はバイオレットである。補色を使用すると、補色のペアは三原色のすべてを現に反映する。例えば赤色と緑色の染料を補色として混合するとき、これは赤色に黄色及び青色を混合することと等価である。なぜならば、緑色は黄色及び青色という二つの原色の混合から構成されているからである。別の例では、黄色及びバイオレットという二つの補色の混合は黄色に赤色及び青色を混合することと等価である。なぜならば、バイオレット色は赤色及び青色という二つの原色から構成されているからである。
【００２５】
本開示に係るインクは、耐スミア性及び耐水性をインクに与えるためにバインダー樹脂を随意的に含むことができる。インクに使用するバインダー樹脂はポリエチレングリコールのようなグリコール、ポリビニルピロリドン及びそのコポリマー及び塩、ポリ酢酸ビニル及びそのコポリマー及び塩、ポリアクリル酸及びそのコポリマー及び塩、その他の膜形成、水溶性樹脂、並びにこれらの組み合わせを含有するのが好ましい。バインダー樹脂はＰＶＰ及びそのコポリマー、ＰＶＡ及びそのコポリマー、並びにこれらの組み合わせから選択されるのが好ましい。より好ましくは、バインダー樹脂はＰＶＰ、そのコポリマー、及びこれらの組み合わせから選択される。
【００２６】
また、バインダー樹脂はインクの粘度を制御するために使用することができる。高粘性のインク（例えばｃＰ＞１０，０００）を望むときは、より多量のバインダー樹脂を使用することで高粘性のインクが得られるだろう。使用するバインダー樹脂がポリマー（例えばＰＶＰ）であるときは、該樹脂は幅広い範囲の粘度及び分子量から選択することができる。例えば、ＰＶＰは種々の粘度及び１０，０００ドルトンから１，３００，０００ドルトンの範囲の分子量で市販されている（アルドリッチ・ケミカル社、ミルウォーキー、ウイスコンシン州）。従って、ポリマー樹脂の分子量に応じて、インクに利用される樹脂の量及びインクの全体粘度は多彩に変化し得る。例えば、低分子量ＰＶＰを使用するときは、インクは低粘度（例えば約２ｃＰ〜約５ｃＰ）を維持しながら耐スミア性及び耐水性を達成することができる。本発明に使用されるバインダー樹脂は組成物の全重量に基づいて好ましくは約１重量％〜約８０重量％、より好ましくは約５重量％〜約２０重量％の範囲の量で存在する。
【００２７】
インクは水ベース（水性）であるのが好ましい。水は好ましくは組成物の全重量に基づいて好ましくは約５０重量％〜約９５重量％、より好ましくは約６０重量％〜約８０重量％の範囲の量で存在する。水は染料成分を溶解するために働き、そして、着色顔料を浮遊させるための媒体として働く。更には油ベースのインクと比べて、種々の材料（例えば衣服）からのインクの洗浄性を向上する。
【００２８】
筆記具又はインクジェットカートリッジのような輸送システム中で水性インクを使用するときは、基材に塗布してからインクが乾くまで時間（乾燥時間）を制御するために１種又は２種以上の有機溶媒を使用するのが好ましい。好ましい輸送システムには筆記具、インクジェットカートリッジ、及び市販のインクジェットを用いた画像化装置が挙げられる。水に比べて有機溶媒は典型的に早く蒸発するので、水性インクが有機溶媒を含有すると乾燥時間が減少する。インクの乾燥時間を最適化及び制御するためには、２種以上の有機溶媒を含めることが必要になるかもしれない。有機溶媒は水に実質的に可溶であるのが好ましい。有機溶媒はグリコール、尿素、脂肪アルコール、ジメチルホルムアミド、ホルムアミド、ジメチルスルホキシド、高分子量炭化水素（すなわち、１２個以上の炭素原子をもつ炭化水素）、低分子量炭化水素（すなわち、１１個以下の炭素原子をもつ炭化水素）、及びこれらの組み合わせよりなる群から選択されるのが好ましい。より好ましくは、有機溶媒はポリエチレングリコールである。有機溶媒を使用するときは、典型的な筆記具及びマーキング用途に好適な乾燥時間を達成するために、組成物の全重量をベースにして少なくとも約５重量％から約３０重量％まで、より好ましくは少なくとも約１０重量％から約２０重量％までの量でインク中に存在する。
【００２９】
有機溶媒として使用されるグリコールには、限定的ではないが、グリコールの三つの大きなカテゴリーが含まれる。（ａ）グリコールエーテル（例えば、エチレングリコールモノメチルエーテル、エチレングリコールモノエチルエーテル、エチレングリコールモノブチルエーテル、エチレングリコールモノフェニルエーテル、ジエチレングリコールモノメチルエーテル、ジエチレングリコールモノエチルエーテル、ジエチレングリコールモノイソプロピルエーテル、ジエチレングリコールモノブチルエーテル、ジエチレングリコールモノフェニルエーテル、エチレングリコールジメチルエーテル、エチレングリコールジエチルエーテル、ジエチレングリコールジメチルエーテル、プロピレングリコールモノメチルエーテル）；（ｂ）グリコールエーテルアセテート（例えば、エチレングリコールモノメチルエーテルアセテート、エチレングリコールモノエチルエーテルアセテート、エチレングリコールモノブチルエーテルアセテート、エチレングリコールモノフェニルエーテルアセテート、エチレングリコールモノメチルエーテルアセテート、ジエチレングリコールモノエチルエーテルアセテート、ジエチレングリコールモノブチルエーテルアセテート、ジエチレングリコールモノフェニルエーテルアセテート、ジエチレングリコールモノイソプロピルエーテルアセテート、エチレングリコールジメチルエーテルアセテート、エチレングリコールジエチルエーテルアセテート、ジエチレングリコールジメチルエーテルアセテート、プロピレングリコールモノメチルエーテルアセテート等）；並びに、ｃ）グリコールアセテート（例えば、エチレングリコールモノアセテート、エチレングリコールジアセテート、及びジエチレングリコールジアセテート）である。別の実施形態では、インクは上記三つのカテゴリーに入らない他のグリコール（例えばエチレングリコール及びエトキシグリコールのようなグリコール）を含有することができる。グリコールはインク組成物中で混合物の全重量をベースにして約１０重量％〜約２０重量％の範囲の量で好ましく使用することができる。
【００３０】
有機溶媒として使用する脂肪アルコールには、限定的ではないが、８〜２０個の炭素原子をもつアルコール、１〜３モル当量のエチレンオキシドでエトキシ化した脂肪アルコールが挙げられる。脂肪アルコール及びエトキシ化脂肪アルコールの例には、限定的ではないが、ベヘニルアルコール、カプリルアルコール、セチルアルコール、セタリルアルコール、デシルアルコール、ラウリルアルコール、イソセチルアルコール、ミリスチルアルコール、オレイルアルコール、ステアリルアルコール、獣脂アルコール、ステアレス−２、セテス−１、セテス−３、及びラウレス−２が挙げられる。その他の好適な脂肪アルコールは「”ＣＴＦＡ化粧品成分便覧（CTFA Cosmetic Ingredient Handbook）”、第１版、ジェイ・ニコタキス（J. Nikotakis）（編）、米国化粧品工業会（The Cosmetic, Toiletry and Fragrance Association）、第２８及び４５頁、１９８８年」に列挙されており、これを本明細書に援用する。
【００３１】
有機溶媒は、本開示に係るインクの乾燥時間又はキャップを外しておける時間（cap-off time）を短く又は長くするために選択することができる（例えば、該混合物が筆記具又はインクジェット装置内に配置されているとき）。乾燥時間を変化させる特定の機構に限定されることを意図するものではないが、インクに添加される有機溶媒の揮発性はインク混合物の揮発性に寄与するので有機溶媒はインクの揮発性を増加又は減少させるため、（該混合物が基材に塗布されるときは）乾燥時間及び／又は（該混合物が筆記具のような輸送装置内に配置されているときは）キャップを外しておける時間を長く又は短くするのである。従って、該混合物の乾燥時間を短く及び／又はキャップを外しておける時間を長くするためには揮発性の有機溶媒が好ましく選択される。好ましくは、揮発性有機溶媒はアセトン、メチルエチルケトン、メタノール、エタノール、イソプロパノール、及びこれらの組み合わせよりなる群から選択される。
【００３２】
液体が表面（例えば紙）上に効果的に濡れ広がるためには、該液体の表面張力は該表面の表面張力よりも小さくなければならない。また、有機溶媒は混合物の表面張力を変化させて種々の表面を濡らすのに充分な表面張力を有する混合物を得るために選択することもできる。混合物は、該混合物の表面張力を変化させるためにグリコールを含有するのが好ましく、ポリエチレングリコールを含有するのがより好ましい。
【００３３】
本開示に係るインクにおいては、二つの補色（例えば緑−赤、又は黄−マゼンタ）、或いは三つのすべての原色（赤、黄及び青）を組み合わせた染料及び顔料の混合によって緑色を達成することができる。深緑色のインクは、緑色染料と赤色顔料、バイオレット顔料及びこれらの組み合わせよりなる群から選択される顔料とを組み合わせることで作るのが好ましい。好ましい組み合わせは緑色染料と赤色顔料であり、好ましい組み合わせはベーシック・グリーン４と、赤色顔料又は組み合わせると赤色顔料分散体を作る顔料との組み合わせである。好ましい赤色顔料分散体はＬＵＣＯＮＹＬ  ３８５５（ＢＡＳＦ社、シャルロット、ノースカロライナ州）である。
【００３４】
二種類又はそれより多くの色を組み合わせて所望の色のインクを作るときは、所望の色（例えば黒色）は下地の別の色（例えば赤系の色）が知覚できる場合であっても到達することができると理解される。例えば、黒色のインクは赤又は緑の下地を有することができ、それでも黒色インクと見なされることが理解される。
【００３５】
緑色の消去可能染料とバイオレット及び／又は赤色染料の組み合わせを混合することにより、緑色のハイライト化可能インクを作ることができることが見出された。本開示に係るインクの一実施形態は緑色のハイライト化可能インクであり、１種又は２種以上の着色顔料とジアリールメタン誘導体、トリアリールメタン誘導体、メチン染料、及びこれらの組み合わせよりなる群から選択される１種又は２種以上の染料とを含有し、染料と顔料の混合物は緑色を呈する。
【００３６】
好ましくは、緑色の消去可能染料は、アシッド・グリーン、アシッド・グリーン５、ベーシック・グリーン４、ダイヤモンド・グリーンＢ、エチル・グリーン、ファストグリーンＦｃｆ、フード・グリーン３、ライト・グリーン、リサミングリーンＳｆ、マラカイト・グリーン、メチル・グリーン、ビクトリア・グリーンＢ、及びこれらの組み合わせよりなる群から選択される。より好ましくは、緑色染料はベーシック・グリーン３、ベーシック・グリーン４、及びこれらの組み合わせよりなる群から選択される。好ましくは、赤色染料は、ベーシック・レッド９、ベーシック・レッド１４、ベーシック・レッド１５、ベーシック・レッド２９、ベーシック・レッド４６、及びこれらの組み合わせよりなる群から選択される。好ましくは、バイオレット染料は、アシッド・バイオレット１７、アシッド・バイオレット１９、ベーシック・バイオレット２、ベーシック・バイオレット３、ベーシック・バイオレット４、ベーシック・バイオレット１４、クロム・バイオレットＣｇ、クリスタル・バイオレット、エチル・バイオレット、ゲンチアナ・バイオレット、ホフマンズ・バイオレット、メチル・バイオレット、メチル・バイオレット２ｂ、メチル・バイオレット１０ｂ、モルダント・バイオレット３９、及びこれらの組み合わせよりなる群から選択される。黄色のインクを作るためには、黄色染料はベーシック・イエロー１１、ベーシック・イエロー１３、ベーシック・イエロー２１、ベーシック・イエロー２８、ベーシック・イエロー２９、ベーシック・イエロー４０、ベーシック・イエロー２９１、及びこれらの組み合わせよりなる群から選択されるのが好ましい。
【００３７】
好ましくは、本開示に係る混合物は黒色である。驚くべきことに、顔料及び消去可能染料を含有する混合物に１種又は２種以上の消去不可能染料を添加すると、黒色ハイライト性インク組成物の黒色の濃さが増し、ハイライト化していない混合物とハイライト化した混合物とのコントラストが増すことが見出された。従って、本開示に係る混合物の一実施形態は水と、着色顔料と、消去不可能染料と、ジアリールメタン誘導体、トリアリールメタン誘導体、メチン染料及びこれらの組み合わせよりなる群から選択される消去可能染料とを含有する水性混合物である。
【００３８】
青、赤、バイオレット、黄、及び／又はオレンジ色の消去不可能染料を添加すると本開示に係る黒色混合物中の黒色の濃さが増すことが見出された。従って、一実施形態においては消去不可能染料が本開示に係る混合物中に存在し、これは好ましくは青色の消去不可能染料、赤色の消去不可能染料、バイオレットの消去不可能染料、黄色の消去不可能染料、オレンジ色の消去不可能染料、及びこれらの組み合わせよりなる群から選択される。好ましくは、青色の消去不可能染料はアシッド・ブルー１、アシッド・ブルー１０４、アシッド・ブルー１８２、アシッド・ブルー２０４、アシッド・ブルー７４、アシッド・ブルー９，アシッド・ブルー９０、ベーシック・ブルー１、ベーシック・ブルー７、ベーシック・ブルー９、ベーシック・ブルー３３、ダイレクト・ブルー１９９、ダイレクト・ブルー２８１、ディスパース・ブルー７３、リアクティブ・ブルー１９、リアクティブ・ブルー２１、及びこれらの組み合わせよりなる群から選択される。好ましくは、赤色の消去不可能染料はアシッド・レッド１８、アシッド・レッド２４９、アシッド・レッド５２、アシッド・レッド８７、アシッド・レッド９２、ベーシック・レッド２２、ベーシック・レッド２８、ベーシック・レッド４６、ダイレクト・レッド２３６、ダイレクト・レッド２５２、及びこれらの組み合わせよりなる群から選択される。好ましくは、バイオレットの消去不可能染料はアシッド・バイオレット１２、アシッド・バイオレット１２６、アシッド・バイオレット１７、アシッド・バイオレット４９、ベーシック・バイオレット１、ベーシック・バイオレット１０、ベーシック・バイオレット３、及びこれらの組み合わせよりなる群から選択される。好ましくは、黄色の消去不可能染料はアシッド・イエロー１７、アシッド・イエロー１１８、アシッド・イエロー２３、アシッド・イエロー３、アシッド・イエロー３２、アシッド・イエロー３６、ベーシック・イエロー２１、ベーシック・イエロー２８、ベーシック・イエロー３７、ベーシック・イエロー４０、ベーシック・イエロー２９１、及びこれらの組み合わせよりなる群から選択される。好ましくは、オレンジ色の消去不可能染料はアシッド・オレンジ１０、リアクティブ・オレンジ１６、及びこれらの組み合わせよりなる群から選択される。
【００３９】
また、本開示に係る混合物を基材中又は上に付着させてマークを作製する工程（例えば塗布）と、該マークの少なくとも一部に消去剤流体を塗布する工程とを含むハイライト化方法も企図される。基材は紙であるのが好ましく、消去剤流体は亜硫酸塩、亜硫酸水素塩、及びこれらの組み合わせよりなる群から選択されるのが好ましい。
【００４０】
また、基材をマーキングして該マーキングを消去するシステム中で使用するための、本開示に係るハイライト化可能な混合物と共に消去剤流体を含むキットが企図される。使用し易いように、該混合物及び該消去剤流体のそれぞれは、筆記具（例えばペン）中に配置することができ、又は塗り刷毛、ボトルに入れたインク溶液、スタンプ台等のような別の形態で供給することもできる。好ましくは、本開示に係る混合物は筆記具中に配置され、該筆記具は、例えば、ボールペン、押出成形プラスチックでできた先端が多孔質のペン、又はマーカーである。
【００４１】
本開示に係るハイライト化可能な混合物を基材に塗布した後は、混合物中に存在する溶媒（例えば水）が少なくとも実質的に蒸発する。同様に、消去剤流体中に存在する溶媒（例えば水）も、消去剤が混合物に塗布されると少なくとも実質的に蒸発し、混合物の成分（例えば、消去された染料、消去されなかった染料、着色顔料）と共に消去剤（例えば亜硫酸塩、亜硫酸水素塩）を残す。従って、本発明の別の一側面は、溶媒が実質的に又は完全に蒸発した後の本開示に係る混合物と消去剤流体との着色複合物である。ハイライト化された複合物には、ジアリールメタン誘導体、トリアリールメタン誘導体、メチン染料、及びこれらの組み合わせよりなる群から選択される無色又は実質的に無色の染料と、着色顔料と、消去不可能染料と、本明細書に記載の任意の随意的な添加剤とを含有する。その他の有用な実施形態では、溶媒が蒸発しない条件下にて、本開示に係る薬剤及び／又は混合物を溶媒中で組み合わせることができる。
【００４２】
本開示に係る混合物のハイライト化又は変色効果は該混合物中に存在する顔料の色が実質的に消去剤溶液によって影響を受けないときに最も良く発揮される。顔料の色が消去剤溶液によって影響を受けない場合は、消去剤溶液を該混合物に塗布すると生成する、消去された染料、消去されなかった染料、顔料、及び消去剤溶液の複合物の全体の色に寄与する。従って、本開示に係る混合物中に存在する着色顔料の色は還元剤、酸化剤、及びｐＨ変化（例えば混合物又は顔料で作製したマーキング及び消去剤溶液を組み合わせることで得られた混合物のｐＨ）の一つ又は二つ以上によって実質的に影響を受けないのが好ましい。
【００４３】
本開示に係る混合物は種々の基材（例えば紙）上にマーキングを作製するためのインクとして使用することができる。インク中には、基材（例えば紙）によるインクの吸収を向上させるために界面活性剤を使用することができ、得られたマークの基材への付着力を向上させるために膜形成剤を使用することができる。従って、本開示に係る混合物は、種々の用途でインク中に慣例的に使用されている量及び比率で、ｐＨ緩衝剤、界面活性剤、殺生剤、防食剤、金属イオン封鎖剤、クラスト化防止剤（anti-crusting agents）、レオロジー制御剤、バインダー樹脂、膜形成剤、及びこれらの組み合わせよりなる群から選択される添加剤の１種又は２種以上を含むことができる。
【００４４】
本開示に係る混合物はインクジェット装置のような輸送システム内で使用することができる。該混合物は家庭−事務所におけるインクジェットシステム（例えばヒューレット・パッカード社のインクジェットプリンターのカートリッジ）内で、並びに商業用及び工業用のインクジェット装置内で使用することができる。本開示に係る混合物を使用するインクジェットプリンターには、連続インクジェットの液滴流の方向を、予め帯電したインクジェットの液滴に電場をかけることによって、印刷媒体上又は再循環のための溝中に偏向及び制御する連続インクジェットプリンター技術を使用するもの、並びに、媒体上に印字するのに必要なときにだけインクの液滴を排出するドロップオンデマンドのインクジェット技術（例えば、圧電及びサーマルインクジェットの印字ヘッド）を使用するものが挙げられる。好ましい輸送システムには圧電インクジェットの印字ヘッド及びサーマルインクジェットの印字ヘッドが挙げられる。
【００４５】
本開示に係る混合物は、混合物の基材上への塗布を伴わない多くの用途に（例えばインクとして）使用することができる。従って、本開示に係る混合物は、ハイライト化又は変色効果の場所として機能する基材の有無に関わらず使用することができる。例えば、本開示に係る混合物は、該混合物と消去剤溶液を液相中で混ぜると、消去剤溶液が該混合物に接触して該混合物の色が変化するという用途に使用することができる。別の一例では、本開示に係る水性混合物は、二相性混合物を生じさせる非水溶性の消去剤溶液と液相中で混ぜ合わせることができ、ここでは、該混合物のハイライト化又は変色効果はこれら二つの溶液の二相界面で生じる。
【実施例】
【００４６】
以下の実施例は、本発明を具体的に示すために提供するが、本発明の範囲を限定する意図はない。
実施例１
表ＩＩＩに示す成分及び配合量でハイライト化可能なインクを調製した。
【表３】
2007509197.tif 000010
【００４７】
プロピレングリコール（ＥＭサイエンス社、ギブスタウン、ニュージャージー州）を室温で水に加え、微粒子の存在しない均一な溶液が得られるまでかき混ぜた。次いで、ベーシック・グリーン４染料を該溶液に加え、該染料が完全に溶解するまで該溶液をかき混ぜた。次いで、顔料を加え、均一な溶液が得られるまで該溶液を１時間かき混ぜた。
【００４８】
次に、得られたインクをＳＨＡＲＰＩＥ（商品名）のマーカーに入れ、基材に塗布されたときのインクの色を決定するために白紙に塗布した。インクは深緑色であることが観察された。
【００４９】
上述したように、本開示に係るインクをハイライト化するのに要する時間に寄与する主な要因はインク中に存在する消去可能染料の重量％に比例すると考えられる。従って、インクを白紙に塗布した後、消去されるまでの時間をサンフォード・レイノルズ・オブ・バレンス社（Sanford Reynolds of Valence）（仏国）より市販されている消去剤溶液を用いて測定した。マーキングへ消去剤溶液を塗布すると、該マーキングは色が深緑色から赤色に変化した。この変化には約５秒かかった。
【００５０】
実施例２
表ＩＶに示す成分及び配合量でハイライト化可能なインク混合物を２種類調製した。
【表４】
2007509197.tif 000011
【００５１】
プロピレングリコール（ＥＭサイエンス社、ギブスタウン、ニュージャージー州）を室温で水に加え、微粒子の存在しない均一な溶液が得られるまでかき混ぜた。次いで、消去可能染料（ＳＰＥＣＴＲＡＣＩＤ  ブラック（スペクトラ・カラーズ社、カーニー、ニュージャージー州）を処方物１に、ＳＰＥＣＴＲＡ  ソルブルブルー２Ｂ  ＥＸ（スペクトラ・カラーズ社、カーニー、ニュージャージー州）を処方物２に）、及び消去不可能染料（ＳＰＥＣＴＲＡＺＩＮＥ  イエロー  ＧＲＬ  ２００％、カラーインデックスＮｏ．ベーシック・イエロー２９１（スペクトラ・カラーズ社、カーニー、ニュージャージー州）を処方物１及び２に、ＳＰＥＣＴＲＡＺＩＮＥ  ブリリアントブルー、カラーインデックスＮｏ．ベーシック・ブルー１（スペクトラ・カラーズ社、カーニー、ニュージャージー州）を処方物２に）を該溶液に加え、該染料が完全に溶解するまで該溶液をかき混ぜた。次いで、顔料（ＨＯＳＴＡＦＩＮＥ  レッド  ＨＦ３Ｓ、カラーインデックスＮｏ．ピグメント・レッド１８８（クラリアント社、コベントリ、ロードアイランド州）を処方物１に、及びＨＯＳＴＡＦＩＮＥ  グリーン  ＧＮ、カラーインデックスＮｏ．ピグメント・グリーン７（クラリアント社、コベントリ、ロードアイランド州）を処方物２に）を加え、均一な溶液が得られるまで該溶液を１時間かき混ぜた。
【００５２】
次に、得られたインクをＳＨＡＲＰＩＥ（商品名）のマーカーに入れ、基材に塗布されたときのインクの色を決定するために白紙に塗布した。処方物１及び２を塗布した結果得られたマーキングは濃い黒色であることが観察された。次に、サンフォード・レイノルズ・オブ・バレンス社（Sanford Reynolds of Valence）（仏国）より市販されている消去剤溶液で白紙上のマーキングを処理した。処方物１で作成したマーキングは黒色から赤色に変化し、処方物２で作製したマーキングは黒色から緑色に変化した。処方物１及び２で作製したマーキングを消去処理しても、マーキングのスミアは生じず、インクで作製したマーキング（例えば紙の上に書いた文字）の色が変化するだけであった（すなわち、ハイライト効果を示した。）。
【００５３】
これまでの記載は明確性のためだけに与えられ、本発明の範囲内における改変は当業者にとって明らかであろうから、不必要に限定されるものではないことが理解される。明細書を通じて、組成物が成分又は材料を含有するものとして記載されているときは、特に断りのない限り、その組成物は記載した成分又は材料の任意の組み合わせ「から本質的に成ること」又は「から成ること」もできることが企図されている。
【図面の簡単な説明】
【００５４】
【図１】アシッド・バイオレット１７についてバイオレット色の化合物から実質的に無色の（消去された）化合物へ変化する理論的な機構を示す反応式である。
【図１】
2007509197.tif 000012
【国際調査報告】
2007509197.tif 000013
2007509197.tif 000014
2007509197.tif 000015